(57)【特許請求の範囲】
【請求項１】
ハウジング内に、縦向きの軸心周りに回転する３枚のブレードを左右方向に並設し、それらのブレードの回転方向を、中央に位置する第１ブレードとその左右一側方に位置する第２ブレードとが同じ方向に回転し、かつ、前記第１ブレードとその左右他側方に位置する第３ブレードとが、それらの隣接領域では互いに前方から後方に向かう状態で逆向き回転するように設定し、前記第１ブレードの軸心と前記第３ブレードの軸心との間に位置するハウジング部分に、前記ハウジング内の刈草を後方に向けて排出する排出口を形成し、左右の後輪間に、前記排出口からの刈草を走行機体の後方に向けて案内するダクトを配設し、前記走行機体の後部に、前記ダクトで案内された刈草を回収する集草容器と、前記ダクトで案内された刈草を地面に向けて排出するリヤディスチャージカバーとの付け替えが可能となるように構成された支持フレームを装備してあるリヤディスチャージ形の草刈機であって、
前記支持フレームに設けた被係止部に対して着脱自在に係止可能な係止部を備えたガイド板を装備するとともに、前記被係止部に対する前記係止部の係止で前記支持フレームに前記ガイド板を連結した状態では、前記ガイド板が、前記ダクトで案内された刈草の一部を左右一側方側から左右他側方寄りに案内するように構成してあるリヤディスチャージ形の草刈機。
【請求項２】
前記ガイド板に、前記被係止部に択一的に係止する複数の係止部を上下方向に並設してある請求項１記載のリヤディスチャージ形の草刈機。
【請求項３】
前記支持フレームに対する前記リヤディスチャージカバーの取り付け角度を、前記リヤディスチャージカバーの上部に設定した左右向きの軸心周りで変更可能となるように構成してある請求項１又は２記載のリヤディスチャージ形の草刈機。
【請求項４】
前記リヤディスチャージカバーにおける前記ダクトとの対向箇所に、平面視で前記ダクト側に膨出する状態に湾曲して、前記ダクトで案内された刈草を左右方向に分流する膨出部を設けてある請求項１〜３のいずれか一つに記載のリヤディスチャージ形の草刈機。
【発明の詳細な説明】
【０００１】
【発明の属する技術分野】
本発明は、ハウジング内に、縦向きの軸心周りに回転する３枚のブレードを左右方向に並設し、それらのブレードの回転方向を、中央に位置する第１ブレードとその左右一側方に位置する第２ブレードとが同じ方向に回転し、かつ、前記第１ブレードとその左右他側方に位置する第３ブレードとが、それらの隣接領域では互いに前方から後方に向かう状態で逆向き回転するように設定し、前記第１ブレードの軸心と前記第３ブレードの軸心との間に位置するハウジング部分に、前記ハウジング内の刈草を後方に向けて排出する排出口を形成し、左右の後輪間に、前記排出口からの刈草を走行機体の後方に向けて案内するダクトを配設し、前記走行機体の後部に、前記ダクトで案内された刈草を回収する集草容器と、前記ダクトで案内された刈草を地面に向けて排出するリヤディスチャージカバーとの付け替えが可能となるように構成された支持フレームを装備してあるリヤディスチャージ形の草刈機に関する。
【０００２】
【従来の技術】
従来、上記のようなリヤディスチャージ形の草刈機においては、走行機体の後部に装備された支持フレームに集草容器を取り付けることによって、各ブレードで刈り取った刈草を集草容器に回収することができ、又、支持フレームにリヤディスチャージカバーを取り付けることによって、各ブレードで刈り取った刈草を走行機体通過後の地面に排出することができるようになっていた。
【０００３】
尚、刈草を走行機体通過後の地面に排出する作業形態は、刈草をそのまま腐らせて肥料として利用する場合や、刈草を乾燥させた後にスイーパで集草する場合に採用されている。
【０００４】
【発明が解決しようとする課題】
しかしながら、上記のようなリヤディスチャージ形の草刈機においては、３枚のブレードを左右方向に並設することから、２枚のブレードを左右方向に並設する場合に比較して、モーアによる刈り幅が広くなって効率の良い草刈り作業が行える反面、第１ブレードと第２ブレードとを同じ方向に回転させ、第３ブレードのみを逆方向に回転させることで、地面に生えた草を刈り取り、それらのブレードの回転により生起した搬送風で、ハウジング内の刈草を、第１ブレードの軸心と第３ブレードの軸心との間に形成した排出口からダクトを介して走行機体の後方に向けて搬送することから、刈草が、ダクト内における第２ブレード配設側の案内領域となる左右一側方側の案内領域に偏って流動する傾向がある。
【０００５】
そのため、走行機体の後部にリヤディスチャージカバーを取り付けた場合には、ダクトで案内された後にリヤディスチャージカバー内の左右一側方側に向かう刈草が多くなることから、肥料となる刈草を走行機体通過後の地面に満遍なくゆきわたらせることや、刈草を走行機体通過後の地面に均一に拡散排出して効率良く乾燥させることができないようになっていた。
【０００６】
本発明の目的は、３枚のブレードを左右方向に並設した効率の良い草刈り作業を行えるものでありながら、走行機体の後部にリヤディスチャージカバーを取り付けた場合には、刈草を走行機体通過後の地面に均一に排出できるようにすることにある。
【０００７】
【課題を解決するための手段】
〔構成〕
上記目的を達成するため、本発明のうちの請求項１記載の発明では、ハウジング内に、縦向きの軸心周りに回転する３枚のブレードを左右方向に並設し、それらのブレードの回転方向を、中央に位置する第１ブレードとその左右一側方に位置する第２ブレードとが同じ方向に回転し、かつ、前記第１ブレードとその左右他側方に位置する第３ブレードとが、それらの隣接領域では互いに前方から後方に向かう状態で逆向き回転するように設定し、前記第１ブレードの軸心と前記第３ブレードの軸心との間に位置するハウジング部分に、前記ハウジング内の刈草を後方に向けて排出する排出口を形成し、左右の後輪間に、前記排出口からの刈草を走行機体の後方に向けて案内するダクトを配設し、前記走行機体の後部に、前記ダクトで案内された刈草を回収する集草容器と、前記ダクトで案内された刈草を地面に向けて排出するリヤディスチャージカバーとの付け替えが可能となるように構成された支持フレームを装備してあるリヤディスチャージ形の草刈機において、前記支持フレームに設けた被係止部に対して着脱自在に係止可能な係止部を備えたガイド板を装備するとともに、前記被係止部に対する前記係止部の係止で前記支持フレームに前記ガイド板を連結した状態では、前記ガイド板が、前記ダクトで案内された刈草の一部を左右一側方側から左右他側方寄りに案内するように構成した。
【０００８】
〔作用〕
上記請求項１記載の発明によると、支持フレームにガイド板を連結すると、各ブレードの配置及び回転方向、並びに排出口の形成箇所などとの関係からダクト内における左右一側方側の案内領域に偏って流動する刈草の一部を、ガイド板によって左右他側方寄りに案内することができるようになる。
【０００９】
つまり、刈草を走行機体通過後の地面に排出する場合には、支持フレームにガイド板とリヤディスチャージカバーとを取り付けるようにすれば、ダクトで案内された刈草が、リヤディスチャージカバーの左右中央部に向けて、左右方向での流動分布の均一化が図られた状態で流動し、その状態でリヤディスチャージカバーの中央部に衝突することによって、走行機体通過後の地面に均一に拡散された状態で排出されるようになる。
【００１０】
又、刈草を回収する場合には、支持フレームに集草容器のみを取り付けるようにすれば、集草の際には不必要なガイド板をも取り付けた場合に招く虞のある集草容器取り付け構造の複雑化や集草容量の低下などを未然に回避できるようになる。
【００１１】
しかも、支持フレームに対するガイド板の連結を係止で行うことから、支持フレームに対するガイド板の着脱を工具を用いることなく簡単に行えるようになる。
【００１２】
〔効果〕
従って、３枚のブレードを左右方向に並設した効率の良い草刈り作業を行えるものでありながら、集草容器とリヤディスチャージカバーとの付け替えとともにガイド板の着脱を行うことで、刈草をそのまま腐らせて肥料として利用する場合や、刈草を乾燥させた後にスイーパで集草する場合には、刈草を走行機体通過後の地面に均一に拡散排出させることができて、肥料となる刈草を走行機体通過後の地面に満遍なくゆきわたらせることや、刈草の乾燥回収を効率良く行うことができるようになり、又、刈草を集草容器に回収する場合には、集草容器取り付け構造の複雑化を招くことなく集草容器を取り付けることができる上に、ガイド板に起因した集草容量の低下などを未然に回避できるようになり、更に、ガイド板の着脱に要する手間の軽減化を図れるようになった。
【００１３】
〔構成〕
本発明のうちの請求項２記載の発明では、上記請求項１記載の発明において、前記ガイド板に、前記被係止部に択一的に係止する複数の係止部を上下方向に並設した。
【００１４】
〔作用〕
上記請求項２記載の発明によると、刈草を走行機体通過後の地面に排出する場合には、ガイド板の高さ位置を、刈り取る草の種類や状態あるいは刈り高さなどに起因して変化するダクト内の高さ方向での刈草の流動分布に応じた高さ位置に調節することができ、これによって、刈り取る草の種類や状態あるいは刈り高さなどにかかわらず、ダクト内における左右一側方側の案内領域に偏って流動する刈草の適量を、ガイド板によって左右他側方寄りに案内することができるようになる。
【００１５】
この結果、ダクトで案内された刈草は、その種類や状態あるいは刈り高さなどにかかわらず、リヤディスチャージカバーの左右中央部に向けて、左右方向での流動分布の均一化が図られた状態で流動し、その状態でリヤディスチャージカバーの中央部に衝突することによって、走行機体通過後の地面に均一に拡散された状態で排出されるようになる。
【００１６】
〔効果〕
従って、ガイド板に複数の係止部を上下方向に並設するだけで、刈り取る草の種類や状態あるいは刈り高さなどにかかわらず、肥料となる刈草を走行機体通過後の地面に満遍なくゆきわたらせることや、刈草の乾燥回収を効率良く行うことができるようになった。
【００１７】
〔構成〕
本発明のうちの請求項３記載の発明では、上記請求項１又は２記載の発明において、前記支持フレームに対する前記リヤディスチャージカバーの取り付け角度を、前記リヤディスチャージカバーの上部に設定した左右向きの軸心周りで変更可能となるように構成した。
【００１８】
〔作用〕
上記請求項３記載の発明によると、刈草を走行機体通過後の地面に排出する場合には、リヤディスチャージカバーの取り付け角度を変更することによって、リヤディスチャージカバーの開放度を、刈り取る草の種類や状態あるいは刈り高さなどに応じた開放度に調節することができ、これによって、刈り取る草の種類や状態あるいは刈り高さなどに適した拡散作用を得ることができるので、ダクトで案内された刈草を、その種類や状態あるいは刈り高さなどにかかわらず、走行機体通過後の地面に均一に拡散排出することができるようになる。
【００１９】
〔効果〕
従って、リヤディスチャージカバーの取り付け角度を変更可能に構成するだけで、刈り取る草の種類や状態あるいは刈り高さなどにかかわらず、肥料となる刈草を走行機体通過後の地面に満遍なくゆきわたらせることや、刈草の乾燥回収を効率良く行うことができるようになった。
【００２０】
〔構成〕
本発明のうちの請求項４記載の発明では、上記請求項１〜３のいずれか一つに記載の発明において、前記リヤディスチャージカバーにおける前記ダクトとの対向箇所に、平面視で前記ダクト側に膨出する状態に湾曲して、前記ダクトで案内された刈草を左右方向に分流する膨出部を設けた。
【００２１】
〔作用〕
上記請求項４記載の発明によると、膨出部の作用によって、ダクトで案内された刈草は、その一部をリヤディスチャージカバー内の左右中央部に残しながら左右に分流するようになる。
【００２２】
〔効果〕
従って、膨出部を設けるだけで、走行機体通過後の地面に刈草をより均一に拡散排出することができて、走行機体通過後の地面に肥料となる刈草をより確実に満遍なくゆきわたらせることや、刈草の乾燥回収をより効率良く行うことができるようになった。
【００２３】
【発明の実施の形態】
図１にはローダンプ仕様の草刈機Ａの全体側面が、又、図２にはハイダンプ仕様の草刈機Ｂの全体側面が示されており、これらの草刈機Ａ，Ｂは、走行機体１の下腹部に、後方に向けて刈草を排出するリヤディスチャージ式のモーア２を、昇降リンク機構３を介して昇降可能に吊り下げ装備するとともに、走行機体１の後部に、モーア２から排出された刈草をダクト４を介して集草するローダンプ式の集草容器５又はハイダンプ式の集草容器６を連結装備することによって、リヤディスチャージ形に構成されている。
【００２４】
図１〜３に示すように、走行機体１は、左右一対の前輪７がモーア２の前方に、左右一対の後輪８がモーア２の後方に配備され、左右の各前輪７にはステアリングホイール９が連係され、左右の各後輪８には、走行機体１の前部に搭載されたエンジン１０からの走行用の動力が、静油圧式無段変速装置１１やギヤ式変速装置１２などを介して伝達されるようになっている。
【００２５】
モーア２は、そのハウジング１３の内部に、縦向きの軸心Ｐ１〜Ｐ３周りに回転する３枚のブレード１４〜１６が左右方向に並設され、ハウジング１３の上部に、エンジン１０からの作業用の動力を各ブレード１４〜１６に分配伝達する動力分配機構１７が装備され、各ブレード１４〜１６の回転方向が、動力分配機構１７の構成から、中央に位置する第１ブレード１４とその左側方に位置する第２ブレード１５とが同じ方向に回転し、かつ、第１ブレード１４とその右側方に位置する第３ブレード１６とが、それらの隣接領域では互いに前方から後方に向かう状態で逆向き回転するように設定され、第１ブレード１４の軸心Ｐ１と第３ブレード１６の軸心Ｐ３との間に位置するハウジング部分に、ハウジング１３内の刈草を後方に向けて排出する排出口１８が形成されている。
【００２６】
ダクト４は、左右の後輪８の間において、静油圧式無段変速装置１１及びギヤ式変速装置１２と左右方向に並設され、排出口１８からの刈草を走行機体１の後方に向けて案内するようになっている。
【００２７】
図１に示すように、ローダンプ式の集草容器５は、走行機体１の後部に装備されたローダンプ仕様の支持フレーム１９に連結され、支持フレーム１９と集草容器５との間に介装した姿勢切換機構２０に備えられている油圧シリンダ２１の作動で、ダクト４で案内された刈草を回収する集草姿勢と、回収した刈草を地面に向けて排出する排出姿勢とに切り換えられるようになっている。
【００２８】
図２に示すように、ハイダンプ式の集草容器６は、走行機体１の後部に装備されたハイダンプ仕様の支持フレーム２２に連結され、支持フレーム２２と集草容器６との間に介装した揺動操作式の昇降機構２３に備えられている油圧シリンダ２４の作動で、ダクト４で案内された刈草を回収する集草位置と、回収した刈草のトラックの荷台などへの排出を可能にする排出位置とにわたって昇降移動し、昇降機構２３と集草容器６との間に介装した姿勢切換機構２５に備えられている油圧シリンダ２６の作動で、ダクト４で案内された刈草の回収を可能にする集草姿勢と、回収した刈草をトラックの荷台などに向けて排出する排出姿勢とに切り換えられるようになっている。
【００２９】
図１及び図４〜６に示すように、ローダンプ仕様の支持フレーム１９は、走行機体１の主フレーム２７に連結される左右一対のブラケット２８に、ダクト４接続用の開口２９が形成された縦壁３０を溶接し、この縦壁３０に、その開口２９の周辺から後方に向けて延設したダクト４接続用のボルト３１を利用してダクト４の後端とともに縦壁３０に共締め連結される左右一対の支持部材３２と、集草容器５の前上部が連結される左右一対の連結孔３３と、集草容器５の前下部を受け止め支持する受具３４とを装備して構成されており、集草容器５の前上部に装備された左右一対の連結ピン３５の出退操作によって集草容器５を着脱できるようになっている。
【００３０】
図２及び図７に示すように、ハイダンプ仕様の支持フレーム２２は、走行機体１の主フレーム２７に連結される左右一対のブラケット３６に、ダクト４接続用のステー３７を備えた枠体３８を溶接し、この枠体３８に、昇降機構２３の昇降アーム３９が第１ピン４０を介して連結されるボス４１と、昇降機構２３の油圧シリンダ２４が第２ピン４２を介して連結されるブラケット４３と、枠体３８に穿設した連結孔４４を利用して着脱自在にボルト連結される左右一対の支持部材３２とを装備して構成されており、第１ピン４０及び第２ピン４２の着脱操作によって集草容器６を着脱できるようになっている。尚、左右一対の支持部材３２は、支持フレーム２２に集草容器６を取り付ける場合には枠体３８から取り外され、支持フレーム２２から集草容器６を取り外した場合に枠体３８に連結できるようになっている。
【００３１】
図８〜１３に示すように、各支持フレーム１９，２２は、集草容器５，６を取り外した状態では、ダクト４で案内された刈草を地面に向けて排出するリヤディスチャージカバー４５の取り付けが可能になっている。
【００３２】
リヤディスチャージカバー４５は、その後下部側ほど後方に位置するとともに横幅が広くなるように形成され、その前上部には、左右外側方に向けて延出する左右一対の支軸４６が装備され、左側部の上下中間部には、支軸４６を支点とした円弧状の長孔４７が形成され、右側部の上下中間部には、ノブ付きボルト４８が螺合されるナット４９が溶接されている。
【００３３】
図４〜７に示すように、左右一対の支持部材３２のうち、左側の支持部材３２は、その上部に、リヤディスチャージカバー４５の左側の支軸４６を係止するフック５０が装備され、その上下中間部に、ノブ付きボルト４８が螺合されるナット４９が溶接されている。右側の支持部材３２は、その上部に、リヤディスチャージカバー４５の右側の支軸４６を係止するフック５０が装備され、その上下中間部に、フック５０に係止されたリヤディスチャージカバー４５の支軸４６を支点とする円弧状の長孔４７が形成されている。
【００３４】
つまり、図６、図８、図１０及び図１２に示すように、ローダンプ仕様の支持フレーム１９には、リヤディスチャージカバー４５の各支軸４６を対応する支持部材３２のフック５０に係止し、リヤディスチャージカバー４５の長孔４７を挿通するノブ付きボルト４８を左側の支持部材３２のナット４９に螺合し、右側の支持部材３２の長孔４７を挿通するノブ付きボルト４８をリヤディスチャージカバー４５のナット４９に螺合することで、リヤディスチャージカバー４５を簡単に取り付けることができるようになっている。
【００３５】
又、図７、図９、図１１及び図１２に示すように、ハイダンプ仕様の支持フレーム２２には、その枠体３８に左右一対の支持部材３２をボルト連結した後、リヤディスチャージカバー４５の各支軸４６を対応する支持部材３２のフック５０に係止し、リヤディスチャージカバー４５の長孔４７を挿通するノブ付きボルト４８を左側の支持部材３２のナット４９に螺合し、右側の支持部材３２の長孔４７を挿通するノブ付きボルト４８をリヤディスチャージカバー４５のナット４９に螺合することで、リヤディスチャージカバー４５を簡単に取り付けることができるようになっている。
【００３６】
一方、図８〜１２に示すように、リヤディスチャージカバー４５は、各支持フレーム１９，２２に取り付けた状態では、支持フレーム１９，２２に対する取り付け角度を、リヤディスチャージカバー４５の前上部に配備した左右の支軸４６の中心を通る左右向きの軸心Ｐ４周りに変更できるようになっている。
【００３７】
図４、図６、図７、図１０、図１１、図１３及び図１４に示すように、左側の支持部材３２には、被係止部５１の一例である上下一対のフック５１が設けられており、これらのフック５１には、ガイド板５２に形成した係止部５３の一例である上下一対で上下２組の開口上縁部５３を択一的かつ着脱自在に係止できるようになっている。ガイド板５２は、各開口上縁部５３を対応するフック５１に係止することで支持フレーム１９，２２に連結することができ、その連結状態では、ダクト４で案内された刈草の一部を左側から右寄りに案内するようになっている。
【００３８】
図８、図９、図１２及び図１３に示すように、リヤディスチャージカバー４５におけるダクト４との対向箇所には、平面視でダクト４側に膨出する状態に湾曲して、ダクト４で案内された刈草を左右方向に分流する膨出部５４が溶接されている。
【００３９】
以上の構成から、刈草を回収する場合には、図１〜５に示すように、支持フレーム１９，２２に集草容器５，６を取り付けることによって、モーア２で刈り取られてダクト４で走行機体１の後方に向けて案内された刈草を集草容器５，６に簡単に回収することができるようになっている。
【００４０】
一方、刈草を走行機体１が通過した後の地面に排出する場合には、図８、図１０及び図１２に示すように、ローダンプ仕様の支持フレーム１９に対してはガイド板５２とリヤディスチャージカバー４５とを取り付けることによって、又、図９、図１１及び図１２に示すように、ハイダンプ仕様の支持フレーム２２に対しては左右一対の支持部材３２とガイド板５２とリヤディスチャージカバー４５とを取り付けることによって、左右方向に並設した３枚のブレード１４〜１６のうち、第１ブレード１４と第２ブレード１５とを同じ方向に回転させ、第３ブレード１６のみを逆方向に回転させることで、地面に生えた草を刈り取り、それらのブレード１４〜１６の回転により生起した搬送風で、ハウジング１３内の刈草を、第１ブレード１４の軸心Ｐ１と第３ブレード１６の軸心Ｐ３との間に形成した排出口１８から排出する、というモーア２の構造との関係からダクト４内における左側の案内領域に偏って流動する刈草の一部を、ガイド板５２によって右寄りに案内することができ、これによって、リヤディスチャージカバー４５内では、ダクト４からの刈草を、左右方向での流動分布の均一化が図られた状態で膨出部５４に向けて流動させることができ、又、膨出部５４の作用によって、その一部をリヤディスチャージカバー４５内の左右中央部に残しながら左右に分流させることでき、結果、走行機体１が通過した後の地面にモーア２からの刈草を精度良く均一に拡散排出させることができて、走行機体１が通過した後の地面に肥料となる刈草を満遍なく確実にゆきわたらせることや、刈草を地面上で自然乾燥させてからスイーパなどで回収する乾燥回収作業における刈草の乾燥を効率良く行うことができるようになっている。
【００４１】
又、刈り取る草の種類や状態あるいは刈り高さなどに起因して、ダクト４内を流動する刈草の流動分布がダクト４の高さ方向で変化する場合には、そのときの刈草の流動分布に応じた高さ位置にガイド板５２の高さ位置を調節することによって、刈り取る草の種類や状態あるいは刈り高さなどにかかわらず、ダクト４内における左側の案内領域に偏って流動する刈草の適量を、ガイド板５２によって右寄りに案内することができ、又、リヤディスチャージカバー４５の取り付け角度を変更することによって、リヤディスチャージカバー４５の開放度を、刈り取る草の種類や状態あるいは刈り高さなどに応じた開放度に調節することができて、刈り取る草の種類や状態あるいは刈り高さなどに適した拡散作用を得ることができ、結果、刈り取る草の種類や状態あるいは刈り高さなどにかかわらず、モーア２からの刈草を走行機体１が通過した後の地面に均一に拡散排出することができるようになっている。
【００４２】
更に、左右の支持部材３２、リヤディスチャージカバー４５、及びガイド板５２を、ローダンプ仕様とハイダンプ仕様の双方の草刈機Ａ，Ｂに共用できるように構成していることから、それらをそれぞれの仕様の草刈機Ａ，Ｂに対応する専用のものに構成する場合に比較して、部品管理や製造コストの面で有利にすることができるようになっている。
【００４３】
〔別実施形態〕
以下、本発明の別実施形態を列記する。
（１）ローダンプ仕様の草刈機においては、支持フレーム１９に対する集草容器５の取り付けや集草容器５への集草に左右の支持部材３２が支障を来す場合には、集草容器５を支持フレーム１９に取り付ける際に左右の支持部材３２を支持フレーム１９の縦壁３０から取り外すようにしてもよい。
【００４４】
（２）ハイダンプ仕様の草刈機においては、左右の支持部材３２などを、支持フレーム２２に対する集草容器６の取り付けに左右の支持部材３２が支障を及ぼさないように構成して、支持フレーム２２に左右の支持部材３２を装備した状態のまま、支持フレーム１９に対する集草容器６とリヤディスチャージカバー４５との付け替えを行えるようにしてもよい。
【００４５】
（３）モーア２からの刈草がダクト４内における右側の案内領域に偏って流動する場合には、ガイド板５２が、ダクト４で案内された刈草の一部を左寄りに案内するように構成すればよい。
【００４６】
（４）被係止部５１及び係止部５３としては種々の変更が可能であり、例えば、被係止部５１を開口上縁部とし、係止部５３を、その開口上縁部に係止可能なフックとしてもよい。
【００４７】
（５）３組以上の係止部５３を上下方向に並設して、ガイド板５２の高さ調節を３段階以上行えるようにしてもよく、又、係止部５３に代えて被係止部５１を上下方向に複数組並設することで、ガイド板５２の高さ調節を行えるようにしてもよい。
【００４８】
（６）リヤディスチャージカバー４５の取り付け角を変更可能にする構造としては種々の変更が可能であり、例えば、リヤディスチャージカバー４５の左右両側部に形成した長孔４７と、左右の支持部材３２に溶接したナット４９と、これらのナット４９に螺合されるノブ付きボルト４８とから、リヤディスチャージカバー４５の取り付け角を変更可能に構成してもよく、又、長孔４７に代えて、リヤディスチャージカバー４５の支軸４６を支点とする円弧上に複数の貫通孔を穿設するようにしてもよい。
【００４９】
（７）リヤディスチャージカバー４５に設けられる膨出部５４を位置調節可能に構成してもよい。このように構成すれば、刈り取る草の種類や状態あるいは刈り高さなどに起因して、ダクト４内を流動する刈草の流動分布がダクト４の横幅方向で変化する場合には、そのときの刈草の流動分布に応じた左右位置に膨出部５４の位置を調節することによって、刈り取る草の種類や状態あるいは刈り高さなどにかかわらず、モーア２からの刈草を走行機体１が通過した後の地面に均一に拡散排出することができるようになり、又、モーア２からの刈草を、走行機体１が通過した後の地面における左右一側方に意図的に寄せ集めることもできるようになる。
【図面の簡単な説明】
【図１】集草容器を装備したローダンプ仕様の草刈機の全体側面図
【図２】集草容器を装備したハイダンプ仕様の草刈機の全体側面図
【図３】草刈機の平面図
【図４】ローダンプ仕様の支持フレームに集草容器を取り付けた状態を示す要部の縦断側面図
【図５】ローダンプ仕様の支持フレームに集草容器を取り付けた状態を示す要部の横断平面図
【図６】ローダンプ仕様の支持フレームの背面図
【図７】ハイダンプ仕様の支持フレームの背面図
【図８】リヤディスチャージカバーを装備したローダンプ仕様の草刈機の全体側面図
【図９】リヤディスチャージカバーを装備したハイダンプ仕様の草刈機の全体側面図
【図１０】ローダンプ仕様の支持フレームにガイド板及びリヤディスチャージカバーを取り付けた状態を示す要部の縦断側面図
【図１１】ハイダンプ仕様の支持フレームにガイド板及びリヤディスチャージカバーを取り付けた状態を示す要部の縦断側面図
【図１２】支持フレームにガイド板及びリヤディスチャージカバーを取り付けた状態を示す要部の横断平面図
【図１３】支持部材に対するガイド板及びリヤディスチャージカバーの取り付け構造を示す分解斜視図
【図１４】支持フレームにガイド板を取り付けた状態を示す要部の縦断側面図
【符号の説明】
１    走行機体
４    ダクト
５    集草容器
６    集草容器
８    後輪
１３  ハウジング
１４  第１ブレード
１５  第２ブレード
１６  第３ブレード
１８  排出口
１９  支持フレーム
２２  支持フレーム
４５  リヤディスチャージカバー
５１  被係止部
５２  ガイド板
５３  係止部
５４  膨出部
Ｐ１  軸心
Ｐ２  軸心
Ｐ３  軸心
Ｐ４  軸心
【図１】
0003664662.tif 000002
【図２】
0003664662.tif 000003
【図３】
0003664662.tif 000004
【図４】
0003664662.tif 000005
【図５】
0003664662.tif 000006
【図６】
0003664662.tif 000007
【図７】
0003664662.tif 000008
【図８】
0003664662.tif 000009
【図９】
0003664662.tif 000010
【図１０】
0003664662.tif 000011
【図１１】
0003664662.tif 000012
【図１２】
0003664662.tif 000013
【図１３】
0003664662.tif 000014
【図１４】
0003664662.tif 000015